(57)【要約】【課題】宝石が前後のみならず、左右方向に揺動することができ、しかも製造工程がシンプルである装身具の構成を提供すること。【解決手段】宝石１を支持している支持具２の両側及び上側に配置され、かつ両内側に凹部３０を備えている枠体３との間にアーム部４が介在する装身具であって、アーム部４が支持具２からの突設領域４１、上側への屈曲領域４２、水平方向への更なる延設領域４３及び下方側に屈曲した支軸４４を備えており、かつ上側への屈曲領域４２が曲げ弾性を有することによって、前記課題を達成し得る装身具。【選択図】図１（ａ）
2019187488.tif 000002
【特許請求の範囲】
【請求項１】
身体への装着又は掌による把持の対象となる枠体、宝石を目視可能な状態にて支持する支持具、及び枠体と支持具との間に介在するアーム部からなる装身具であって、枠体は、支持具の両側及び上側に配設され、かつ当該両側の領域のうち、支持具と向かい合う内側にてアーム部と係合する凹部を備えており、アーム部は、支持具の両側から水平方向に突設され、かつ当該突設領域の所定位置にて上側に屈曲した上で更に水平方向両側に延設されており、しかも当該延設領域の所定位置にて下方側に屈曲し、かつ凹部の下側面に当接している支軸を形成しており、前記当接位置よりも宝石及び支持具の重心の方が下側に設定されると共に、前記上側への屈曲領域が曲げ弾性を備えている装身具。
【請求項２】
両側の支軸が下方となるに従って、先細り形状となるピボット状であることを特徴とする請求項１記載の装身具。
【請求項３】
両側の支軸が円柱状であって、先端が湾曲した球面状であることを特徴とする請求項１記載の装身具。
【請求項４】
アーム部を１個の素材によって形成し、かつ両側における水平方向の突設領域及び延設領域の断面積を、上側への屈曲領域の断面積よりも大きく設定していることを特徴とする請求項１、２、３の何れか一項に記載の装身具。
【請求項５】
上側への屈曲領域が上側となるに従って断面積を大きく設定していることを特徴とする請求項１、２、３、４の何れか一項に記載の装身具。
【請求項６】
上側への屈曲領域における水平方向断面が矩形であって、かつ左右方向における突設方向の辺よりも当該辺に直交する前後方向の辺の方が長いことを特徴とする請求項１、２、３、４、５の何れか一項に記載の装身具。
【請求項７】
アーム部において、支軸の両側から水平方向に突設された領域が曲げ弾性を有しており、かつアーム部が宝石及び支持具の重量を支えた場合、当該突設領域が水平方向を呈するように突設方向を設定することを特徴とする請求項１、２、３、４、５、６の何れか一項に記載の装身具。
【請求項８】
突設領域における断面積を支持具から遠くなるに従って大きく設定していることを特徴とする請求項７記載の装身具。
【発明の詳細な説明】
【技術分野】
【０００１】
本発明は、宝石と結合しかつペンダント、ブローチ、指輪のように身体に装着し、かつ揺動状態を可能とする装身具を対象としている。
【背景技術】
【０００２】
近年、宝石を揺動可能とする装身具が提唱されている。
【０００３】
例えば、特許文献１においては、宝石と係合する２個の内側リング及び身体への装着を可能とする２個の外側リングを採用し、内側リングと外側リングとが交互に突入し合う状態にて接続することによって、前記揺動自在状態を実現している。
【０００４】
しかしながら、このような接続状態の場合には、二対のリングの摩擦によって、揺動状態の継続が不十分である。
【０００５】
特許文献２においては、宝石を支持している支持具を両側及び上側にて囲んだ状態にある枠体の前記両側の領域のうち、支持具と相向かい合う内側に凹部を設け、支持具と枠体との間に介在するアーム部において、下側となるにしたがって先細り形状であるピボット状とする支軸が、前記凹部の下側面と当接することによって前記両側の方向と直交する方向である前後方向の揺動自在状態を実現している。
【０００６】
このような構成の場合には、揺動が特許文献１の構成よりも極めて持続し得る点において優れている。
但し、特許文献２の構成の場合には、両側の方向である左右方向の揺動状態を実現することができない。
【０００７】
特許文献１の場合には、交互に嵌入し合う二対の内側リングと外側リングの製造という煩雑な製造工程を必要不可欠とする。
【０００８】
特許文献２の場合においても、アーム部の支軸を枠体の両側における前記内側の凹部の下側面に当接させるためには、凹部の両外側に水平方向に挿脱自在のストッパを設けると共に、凹部の下側に鉛直方向に挿脱自在のストッパを設けるという格別の設計を必要とする点において製造工程が煩雑である。
【先行技術文献】
【特許文献】
【０００９】
【特許文献１】特開２０１３−２２６４６２号公報
【特許文献２】特許第５９６０３３６号公報
【発明の概要】
【発明が解決しようとする課題】
【００１０】
本発明は、宝石が前後のみならず、左右方向に揺動することができ、しかも製造工程がシンプルである装身具の構成を提供することを課題としている。
【課題を解決するための手段】
【００１１】
前記課題を解決するため、本発明の基本構成は、身体への装着又は掌による把持の対象となる枠体、宝石を目視可能な状態にて支持する支持具、及び枠体と支持具との間に介在するアーム部からなる装身具であって、枠体は、支持具の両側及び上側に配設され、かつ当該両側の領域のうち、支持具と向かい合う内側にてアーム部と係合する凹部を備えており、アーム部は、支持具の両側から水平方向に突設され、かつ当該突設領域の所定位置にて上側に屈曲した上で更に水平方向両側に延設されており、しかも当該延設領域の所定位置にて下方側に屈曲し、かつ凹部の下側面に当接している支軸を形成しており、前記当接位置よりも宝石及び支持具の重心の方が下側に設定されると共に、前記上側への屈曲領域が曲げ弾性を備えている装身具からなる。
【発明の効果】
【００１２】
前記基本構成に基づく本願発明は、枠体と支持具との間に介在するアーム部によって、支持具及び宝石は、前記当接状態を原因として前後方向に揺動するだけでなく、上側への屈曲領域が曲げ弾性を有することを原因として左右方向に揺動することも可能となり、宝石のダイナミックな揺動状態を享受することができる。
【００１３】
しかも、アーム部の支軸と両側の枠体の凹部の下側面との当接を実現するために、特許文献２の場合のような挿脱自在のストッパを設けずに、上側への屈曲領域を内側、即ち支軸側に弾性変形させた上で、アーム部の水平方向への延設領域及び支軸を凹部内に挿入するというシンプルな製造工程を採用することができる。
【図面の簡単な説明】
【００１４】
【図１（ａ）】
【図１（ｂ）】
【図１（ｃ）】基本構成における実施形態の一例を示しており、（ａ）は、枠体、支持具、アーム部からなる全体構成につき、支持具の両側方向である左右方向に切断した場合の側断面図を示し、（ｂ）は、支持具が宝石を支持している状態につき、前記左右方向に切断した場合の側断面図を示し、（ｃ）は、支持具が宝石を支持していない場合におけるアーム部との一体形成状態の斜視図を示す。
【図２】円輪形状の支持具に対し、左右及び上下に配設された円輪形状の枠体を採用した実施形態を示しており、（ａ）は、枠体、支持具、アーム部からなる全体構成につき、前記左右方向に切断した場合の側断面図を示し、（ｂ）は、支持具及び支持具から両側に突設されたアーム部との一体形状状態の斜視図を示す。
【図３】アーム部の全ての断面が円形であって、しかも上側への屈曲領域が上側となるに従って断面積を大きく設定した実施形態であって、（ａ）は、アーム部の前側方向からの側面図を示し、（ｂ）は、上側への屈曲領域及び支軸の水平方向における断面図を示し、（ｃ）は、突設領域の鉛直方向における断面図を示し、（ｄ）は、水平方向の延設領域鉛直方向における断面図を示す。
【図４】アーム部の上側への屈曲領域において、断面が矩形状であって、しかも左右方向の辺よりも前後方向の辺の方が長い実施形態であって、（ａ）は、左右方向外側からの側断面図を示し、（ｂ）は、水平方向の断面図を示す。
【図５】アーム部の上側への屈曲領域において、断面が矩形状であって、しかも左右方向の辺よりも前後方向の辺の方が長く、かつ図２の場合と同様に、上側への屈曲領域を上側となるに従って断面積を大きく設定している実施形態であって、（ａ）は、左右方向外側からの側断面図を示し、（ｂ）は、水平方向の断面図を示す。
【発明を実施するための形態】
【００１５】
最初に、図１に即して、本願の装身具の基本構成について説明する。
【００１６】
前記基本構成は、図１（ａ）に示すように、身体への装着又は掌による把持の対象となる枠体３、宝石１を目視可能な状態にて支持する支持具２、及び枠体３と支持具２との間に介在するアーム部４からなる装身具であって、枠体３は、支持具２の両側及び上側に配設され、かつ当該両側の領域のうち、支持具２と向かい合う内側にてアーム部４と係合する凹部３０を備えている。
【００１７】
しかも、図１（ａ）、（ｂ）、（ｃ）に示すように、アーム部４は、支持具２の両側から水平方向に突設され、かつ当該突設領域４１の所定位置にて上側に屈曲した上で更に水平方向両側に延設されており、しかも当該延設領域４３の所定位置にて下方側に屈曲し、かつ凹部３０の下側面に当接している支軸４４を形成している。
【００１８】
支持具２の両側及び上側に配設されている枠体３は、図１（ａ）に示すような湾曲した逆Ｖ字型の形状だけでなく、図２（ａ）に示すように、支持具２の下側まで延設された円輪形状をも採用することが可能であるが、枠体３の形状は、前記各図面の場合のみに限定される訳ではない。
【００１９】
図１（ｂ）、（ｃ）は、前方に突設部２１を有し、かつ後方の底部に孔を有する容器状の支持具２を示し、図２（ｂ）は、前側に留め部２２を有する支持具２の形状を示すが、支持具２の形状は、前記各図面の場合のみに限定される訳ではなく、宝石１を安定した状態にて支持する様々な形状を採用することができる。
【００２０】
図１（ｃ）は、板状体からなるアーム部４を示し、図２（ａ）、（ｂ）、（ｃ）、（ｄ）は、断面が円形であるアーム部４を示すが、アーム部４の断面形状は、前記各図面のみに限定される訳ではない。
【００２１】
前記基本構成のアーム部４は、特許文献２発明のアーム部４と基本的に同一の構成に立脚しているが、上側への屈曲領域４２が曲げ弾性を有している点において、特許文献２発明のアーム部４と相違している。
【００２２】
即ち、前記基本構成においては、アーム部４の支軸４４が枠体の凹部３０の下側面と当接することによって、特許文献２発明の場合と同様に、前後方向に揺動するだけでなく、前記曲げ弾性によって左右方向の揺動をも実現することが可能となる一方、特許文献２発明の場合には、アーム部４を枠体の凹部３０に挿入するために、凹部３０の両外側及び両下側に挿脱自在のストッパを設けることを必要不可欠としているのに対し、本願発明の場合には、アーム部４の上側への屈曲領域４２を支軸４４側の方向に弾性的に折り曲げることによってアーム部４の支軸４４及び更なる延設領域４３を凹部３０に挿入することが可能であって、シンプルな製造工程を実現し得ることは、効果の項において既に説明した通りである。
尚、曲げ弾性を有する上側への屈曲領域４２に適合する素材としては、銀、白金（プラチナ）、真鍮及びこれらの混合物が装飾効果をも発揮し、かつ兼用する上で好ましい。
【００２３】
前記基本構成においては、支軸４４が両側の凹部３０の下側面と接続する位置よりも宝石１及び支持具２の重心の方が下側であることから、安定した揺動状態を継続することができる。
【００２４】
アーム部４の支軸４４は、図１（ａ）、（ｃ）及び図２（ａ）、（ｂ）に示すように、両側の支軸４４が下方となるに従って、先細り形状となるピボット状であることを特徴とする実施形態、及び図３（ａ）、（ｂ）に示すように、両側の支軸４４が円柱状であって、先端が湾曲した球面状であることを特徴とする実施形態を採用することができる。
【００２５】
前記ピボット状の実施形態の場合には、支軸４４の先端と枠体の凹部３０下側面の当接面積が極めて小さいため、双方間の摩擦抵抗が少なく、安定した揺動状態を持続することができる。
【００２６】
前記球面状の実施形態の場合においても、揺動に際し、球面が下側面にて回転することが可能であることから、同様に少ない摩擦抵抗による揺動状態を持続することができ、しかも支軸４４の先端における摩耗が少ないという技術上のメリットを発揮することができる。
【００２７】
アーム部４において、曲げ弾性を有する上側への屈曲領域４２と支持具２からの突設領域４１及び水平方向への延設領域４３並びに支軸４４とを異なる素材を採用し、双方を接続する構成、具体的には、双方の素材として金属を採用した上で相互に溶接する構成は、当然採用可能である。
但し、図１（ａ）、（ｃ）及び図２（ａ）に示すように、アーム部４を１個の素材によって形成し、かつ両側における水平方向の突設領域４１及び延設領域４３の断面積を、曲げ弾性を有している上側への屈曲領域４２の断面積よりも大きく設定した場合には、上記接合が不要というシンプルな工程によって、本願発明のアーム部４を製造することができる。
【００２８】
アーム部４の上側への屈曲領域４２においては、同一の断面積による実施形態も当然採用可能である。
【００２９】
しかしながら、支持具２及び宝石１が揺動する場合に、当該揺動に伴う曲げモーメントは上側への屈曲領域４２が上側となるに従って大きい状態にある。
【００３０】
このような曲げモーメントの変化に鑑み、図３（ａ）、（ｂ）に示すように、上側への屈曲領域４２が上側となるに従って断面積を大きく設定していることを特徴とする実施形態の場合には、曲げモーメントの増加に対応して断面積も増加しており、このような設定によって上側への屈曲領域４２の曲げ変形に基づく疲労を分散しかつ均一状態とすることができる。
【００３１】
図３（ａ）、（ｂ）及び図４（ａ）、（ｂ）は、何れも上側への屈曲領域４２における水平方向断面が矩形であって、かつ突設方向である左右方向の辺よりも当該辺に直交する前後方向の辺の方が長いことを特徴とする実施形態を示しており、図３（ａ）、（ｂ）は、上側への屈曲領域４２の断面積が変化しない場合を示しており、図４（ａ）、（ｂ）は、上側への屈曲領域４２の断面積が上側となるに従って大きく設定した実施形態を示す。
【００３２】
このように、矩形状断面において、前後方向の辺の長さを左右方向の辺の長さよりも大きく設定することによって、左右方向の揺動に伴って発生する左右方向の曲げ変形を原因とする疲労の程度を緩和することができる。
【００３３】
しかも、図４（ａ）、（ｂ）に示す実施形態のように、上側となるに従って断面積を大きく設定した場合には、曲げモーメントが上側となるに従って大きくなることに適応でき、図３（ａ）、（ｂ）に示す実施形態と同一の作用効果を得ることができる。
【００３４】
以下、実施例に従って説明する。
【実施例】
【００３５】
実施例は、アーム部４において、支軸４４の両側から水平方向に突設された領域が曲げ弾性を有しており、かつアーム部４が宝石１及び支持具２の重量を支えた場合、当該突設領域４１が水平方向を呈するように突設方向を設定することを特徴としている。
【００３６】
このような実施例の場合には、支持具２及び宝石１は、前後方向及び左右方向だけでなく、上下方向の揺動をも実現することが可能となる。
【００３７】
しかも、突設領域４１における断面積を支持具２から遠くなるに従って大きく設定している構成を採用した場合には、前記突設領域４１における曲げモーメントが支持具２から遠くなるに従って大きいことに対応することが可能となり、図３（ａ）、（ｂ）に示す実施形態と同様に曲げ変形に基づく疲労を分散しかつ均一化するという作用効果を発揮することができる。
【産業上の利用可能性】
【００３８】
本願発明は、ペンダント、ブローチ、指輪等の装身具を単に前後方向だけでなく、左右方向の揺動をも可能とする装身具をシンプルな工程によって製造することができ、装身具の分野において多大な利用価値を発揮することができる。
【符号の説明】
【００３９】
１    宝石
２    支持具
２１  突設部
２２  留め部
３    枠体
３０  枠体の凹部
４    アーム部
４１  突設領域
４２  上側への屈曲領域
４３  水平方向への延設領域
４４  支軸
【図１（ａ）】
2019187488.tif 000003
【図１（ｂ）】
2019187488.tif 000004
【図１（ｃ）】
2019187488.tif 000005
【図２】
2019187488.tif 000006
【図３】
2019187488.tif 000007
【図４】
2019187488.tif 000008
【図５】
2019187488.tif 000009
【手続補正書】
【提出日】平成30年7月27日(2018.7.27)
【手続補正１】
【補正対象書類名】特許請求の範囲
【補正対象項目名】請求項１
【補正方法】変更
【補正の内容】
【請求項１】
身体への装着の対象となる枠体、宝石を目視可能な状態にて支持する支持具、及び枠体と支持具との間に介在するアーム部からなる装身具であって、枠体は、支持具の両側及び上側に配設され、かつ当該両側の領域のうち、支持具と向かい合う内側にてアーム部と係合する凹部を備えており、アーム部は、支持具の両側から水平方向に突設され、かつ当該突設領域の所定位置にて上側に屈曲した上で更に水平方向両側に延設されており、しかも当該延設領域の所定位置にて下方側に屈曲し、かつ凹部の下側面に当接している支軸を形成しており、前記当接位置よりも宝石及び支持具の重心の方が下側に設定されると共に、前記上側への屈曲領域が曲げ弾性を備えることに基づき、宝石及び支持具が前記両側方向に揺動し、かつ前記上側への屈曲領域を支持具側に弾性変形することによって、前記延設領域及び前記支軸が前記凹部内に挿入されている装身具。
【手続補正２】
【補正対象書類名】特許請求の範囲
【補正対象項目名】請求項７
【補正方法】変更
【補正の内容】
【請求項７】
アーム部において、支持具の両側から水平方向に突設された領域が曲げ弾性を有しており、かつアーム部が宝石及び支持具の重量を支えた場合、当該突設領域が水平方向を呈するように突設方向を設定することを特徴とする請求項１、２、３、４、５、６の何れか一項に記載の装身具。
【手続補正３】
【補正対象書類名】明細書
【補正対象項目名】００１１
【補正方法】変更
【補正の内容】
【００１１】
前記課題を解決するために、本発明の基本構成は、身体への装着の対象となる枠体、宝石を目視可能な状態にて支持する支持具、及び枠体と支持具との間に介在するアーム部からなる装身具であって、枠体は、支持具の両側及び上側に配設され、かつ当該両側の領域のうち、支持具と向かい合う内側にてアーム部と係合する凹部を備えており、アーム部は、支持具の両側から水平方向に突設され、かつ当該突設領域の所定位置にて上側に屈曲した上で更に水平方向両側に延設されており、しかも当該延設領域の所定位置にて下方側に屈曲し、かつ凹部の下側面に当接している支軸を形成しており、前記当接位置よりも宝石及び支持具の重心の方が下側に設定されると共に、前記上側への屈曲領域が曲げ弾性を備えることに基づき、宝石及び支持具が前記両側方向に揺動し、かつ前記上側への屈曲領域を支持具側に弾性変形することによって、前記延設領域及び前記支軸が前記凹部内に挿入されている装身具からなる。
【手続補正４】
【補正対象書類名】明細書
【補正対象項目名】００１３
【補正方法】変更
【補正の内容】
【００１３】
しかも、アーム部の支軸と両側の枠体の凹部の下側面との当接を実現するために、特許文献２の場合のような挿脱自在のストッパを設けずに、上側への屈曲領域を内側、即ち支持具側に弾性変形させた上で、アーム部の水平方向への延設領域及び支軸を凹部内に挿入するというシンプルな製造工程を採用することができる。
【手続補正５】
【補正対象書類名】明細書
【補正対象項目名】００３５
【補正方法】変更
【補正の内容】
【００３５】
実施例は、アーム部４において、支持具２の両側から水平方向に突設された領域４１が曲げ弾性を有しており、かつアーム部４が宝石１及び支持具２の重量を支えた場合、当該突設領域４１が水平方向を呈するように突設方向を設定することを特徴としている。
【手続補正６】
【補正対象書類名】図面
【補正対象項目名】図１（ａ）
【補正方法】変更
【補正の内容】
【図１（ａ）】
2019187488.tif 000010